(57)【要約】【課題】  周囲環境条件や用紙のサイズなどの条件に応じてより最適な転写バイアスを設定できるようにした画像形成装置を提供する。【解決手段】  感光ドラム２１と、感光ドラム２１とともに用紙をニップして当該感光ドラム２１の像を用紙に転写する転写ローラ２９と、転写ローラ２９により転写された用紙の像を定着させる定着手段（加熱ローラ３１及びプレスローラ３３等）と、装置内部の温度を検出する温度センサ３４及び装置内部の湿度を検出する湿度センサ５２と、用紙の第１面の印字における転写時に、温度センサ３４で検出された温度及び／又は湿度センサ５２で検出された湿度に基づいて、転写ローラ２９へ第１面用の転写バイアスを印加する転写電圧印加回路３０とを備える。【選択図】      図２
2005128108.tif 000002
【特許請求の範囲】
【請求項１】
両面・多重印字可能な画像形成装置であって、
像担持体と、
前記像担持体とともに用紙をニップして当該像担持体の像を用紙に転写する転写手段と、
装置内部の温度を検出する温度センサ及び／又は前記装置内部の湿度を検出する湿度センサと、
用紙の第１面の印字における転写時に、前記温度センサで検出された温度及び／又は前記湿度センサで検出された湿度に基づいて、前記転写手段へ第１面用の転写バイアスを印加する転写バイアス印加手段と、
を備えることを特徴とする画像形成装置。
【請求項２】
前記用紙の第１面の印字における転写時に、用紙ニップ中の前記転写手段への平均流入電流値を記憶する記憶手段を備え、前記転写バイアス印加手段は、用紙の第２面の印字における転写時に、前記記憶手段に記憶された平均流入電流値に基づいて、前記転写手段への第２面用の転写バイアスを定電流制御することを特徴とする請求項１記載の画像形成装置。
【請求項３】
前記転写手段は、前記像担持体に接する転写ローラであり、この転写ローラの体積抵抗値は２×１０8 Ωｃｍ以上であることを特徴とする請求項２記載の画像形成装置。
【発明の詳細な説明】
【技術分野】
【０００１】
この発明は、両面・多重印字可能な画像形成装置に関する。
【背景技術】
【０００２】
その種の画像形成装置としては、表面にトナー像が形成される像担持体と、像担持体に接触配置されて転写ニップ部を形成する転写回転体と、転写回転体に転写バイアスを印加する転写バイアス印加手段とを備え、転写ニップ部に被記録材を挟持搬送しつつ転写回転体に転写バイアス印加手段によって転写バイアスを印加することにより像担持体表面のトナー像を被記録材表面に転写する画像形成装置において、転写バイアス印加手段の制御方式として定電流制御方式と定電圧制御方式を持ち、転写バイアス印加手段の定電流制御方式と定電圧制御方式の切替えを、転写回転体の抵抗値に応じて行うようにした画像形成装置がある（例えば、特許文献１参照）。
【０００３】
また、この画像形成装置では、転写バイアス印加手段の定電流制御方式と定電圧制御方式の切替えを、両面プリントにおいては、１面目通紙時及び２面目通紙時のそれぞれで行うようにしている。
【特許文献１】特開２０００−２２１８１０号公報
【発明の開示】
【発明が解決しようとする課題】
【０００４】
ところで、両面・多重印字の場合は、第１面（表面）印字済み用紙の抵抗値は、定着手段による加熱などで含水分が蒸発しているため上昇する。この抵抗値が上昇した第１面印字済み用紙の第２面（裏面）印字を行う場合、転写不良などを起こさずに高画質の転写を行うには、転写回転体（転写ローラ）への転写バイアスの最適化を行う必要がある。
【０００５】
上記公報記載の画像形成装置では、転写バイアス印加手段の定電流制御方式と定電圧制御方式の切替えを転写回転体の抵抗値に基づいて行っているが、温度・湿度などの周囲環境条件や、用紙のサイズや厚さなどの条件に応じて、転写バイアスをより適切に設定することが求められている。
【０００６】
この発明は、そのような実状に着目してなされたもので、周囲環境条件や用紙のサイズなどの条件に応じてより最適な転写バイアスを設定できるようにした画像形成装置を提供することを目的とする。
【課題を解決するための手段】
【０００７】
前記目的を達成するために、本発明の画像形成装置は、両面・多重印字可能なものであって、像担持体と、像担持体とともに用紙をニップして当該像担持体の像を用紙に転写する転写手段と、装置内部の温度を検出する温度センサ及び／又は装置内部の湿度を検出する湿度センサと、用紙の第１面の印字における転写時に、温度センサで検出された温度及び／又は湿度センサで検出された湿度に基づいて、転写手段へ第１面用の転写バイアスを印加する転写バイアス印加手段とを備えることを特徴とする。
【０００８】
この画像形成装置では、上記公報記載の装置のように転写回転体の抵抗値に基づいて転写バイアスを設定するのではなく、用紙の第１面（表面）印字時には、温度センサによって検出された装置内部の温度及び／又は湿度センサによって検出された装置内部の湿度に基づいて、転写バイアスを設定する。
【０００９】
この画像形成装置において、用紙の第２面（裏面）印字に関しては、用紙の第１面の印字における転写時に、用紙ニップ中の転写手段への平均流入電流値を記憶する記憶手段を備え、転写バイアス印加手段は、用紙の第２面の印字における転写時に、記憶手段に記憶された平均流入電流値に基づいて、転写手段への第２面用の転写バイアスを定電流制御することが好適である。
【００１０】
この場合、転写バイアスの制御切替えは用紙の第１面印字と第２面印字とでは行わず、それぞれ固定されている。
【００１１】
また、転写手段が像担持体に接する転写ローラである場合、この転写ローラの体積抵抗値は２×１０8 Ωｃｍ以上であることが好ましい。
【発明の効果】
【００１２】
本発明によれば、温度・湿度などの周囲環境条件や、用紙のサイズや厚さなどの条件に応じて、転写バイアスをより最適に設定することができ、延いては印字画質をより一層向上させることができる。
【００１３】
また、請求項３の構成とすること（転写ローラの体積抵抗値を上げること）で、第２面転写時における用紙の抵抗値上昇に対しても、用紙から像担持体への電荷の横流れを防止することができる。
【発明を実施するための最良の形態】
【００１４】
以下、実施の形態により、この発明を更に詳細に説明する。
【００１５】
その実施形態に係る画像形成装置の一例としてのファクシミリ装置の構成例のブロック図を図１に示す。このファクシミリ装置は、ファクシミリ機能とコピー機能を併有する複合機として構成したものである。
【００１６】
このファクシミリ装置は、ＭＰＵ（制御部）１と、ＮＣＵ（網制御回路：Network Control Unit）２と、ＭＯＤＥＭ３と、ＲＯＭ４と、ＲＡＭ５と、画像メモリ（ＤＲＡＭ）６と、ＣＯＤＥＣ（符号化・復号器：Coder and Decoder ）７と、操作部８と、スキャナ９と、プリンタインターフェース１０と、プリンタコントローラ１２とを備える。
【００１７】
ＭＰＵ１は、ＲＯＭ４に記憶されたプログラムに従い、このファクシミリ装置を構成する各部を制御する。ＮＣＵ２は、電話回線網（ＰＳＴＮ）との接続を制御するとともに、相手先の電話番号（ＦＡＸ番号を含む）に対応したダイヤル信号を送出する機能、及び着信を検出するための機能を備えている。ＭＯＤＥＭ３は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１８】
ＲＯＭ４は、このファクシミリ装置全体を制御するためのプログラムを記憶する。ＲＡＭ５は、データ等を一時的に記憶する。画像メモリ６は、受信画像データやスキャナ９で読み取った画像データを一時的に記憶する。ＣＯＤＥＣ７は、読み取った画像データを送信するためにＭＨ、ＭＲ、ＭＭＲ方式等により符号化（エンコード）し、受信画像データを復号（デコード）する。
【００１９】
操作部８は、ユーザがＦＡＸ送信・受信、プリント等の指示などをするためのもので、テンキー、ワンタッチキー、スタートキー、その他のキーで構成される。スキャナ９は、コピーやＦＡＸ送信するときに原稿の画像データを読み取る。プリンタインターフェース１０は、パソコンからのプリント指令、データを受けて、プリンタコントローラ１２に送る。
【００２０】
プリンタコントローラ１２は、図２（ブロック図）に示すように構成されたプリンタ部を制御する。このプリンタコントローラ１２は、用紙の第１面の印字における転写時に、用紙ニップ中の転写ローラ２９への平均流入電流値を記憶するメモリ手段（記憶手段）１２ａを有する。
【００２１】
このプリンタ部には、メインモータ４１によって回転駆動される感光ドラム（像担持体）２１が配置される。この感光ドラム２１の周囲に、帯電手段としてのスコロトロンチャージャ２２が配置され、このスコロトロンチャージャ２２に帯電電圧印加回路２３により所定の正の帯電電圧ＨＶＣが印加される。正の帯電電圧ＨＶＣが印加されたスコロトロンチャージャ２２によって、感光ドラム２１の外周面が約＋８００Ｖに一様に帯電される。この実施形態では、帯電手段として感光ドラム２１表面を非接触で帯電させるスコロトロンチャージャ２２を備えているが、これに代えて感光ドラム２１表面に接触状態で帯電させる帯電ブラシ、スポンジローラ、ソリッドローラなどの帯電ローラであってもよい。
【００２２】
感光ドラム２１の周囲でスコロトロンチャージャ２２の下流側に、露光手段としてのＬＳＵ（レーザスキャンユニット）２４が配置される。このＬＳＵ２４においては、画像情報が入力され、これに応答してレーザ発振源が出力したスキャンレーザ光をポリゴンモータにより回転するポリゴンミラーが散らすことで、感光ドラム２１の外周面に画像情報に対応した静電潜像を形成する。
【００２３】
感光ドラム２１の周囲でスコロトロンチャージャ２２の下流側に配置された現像器は、供給ローラ２５、現像ローラ２６、ブレード２７により構成される。供給ローラ２５は、正帯電性のトナーを入れたトナーケースからトナーを帯電させつつ現像ローラ２６に供給するもので、この供給ローラ２５には現像電圧印加回路２８により所定の供給電圧（＋３００Ｖ〜＋７００Ｖ）が印加される。この供給ローラ２５と感光ドラム２１に接触し、感光ドラム２１との間に現像ニップ部を形成する現像ローラ２６には、現像電圧印加回路２８により所定の現像電圧（＋３００Ｖ〜＋７００Ｖ、好適には約＋４００Ｖ）が印加される。
【００２４】
ブレード２７は、現像ローラ２６の外周面に弾性的に接触し、現像ローラ２６の外周面に付着したトナーの層厚を均一にするもので、このブレード２７には現像電圧印加回路２８により所定のバイアス電圧（＋３００Ｖ〜＋７００Ｖ）が印加される。
【００２５】
更に、感光ドラム２１の周囲で現像器の下流側に配置された転写手段としての転写ローラ２９は、用紙搬送路Ｆを挟んで感光ドラム２１の外周面と転写ニップ部を形成するように配置され、メインモータ４１により回転駆動される。この転写ローラ２９には転写電圧印加回路（転写バイアス印加手段）３０により、転写電圧ＨＶＴが印加される。転写ローラ２９への流入電流値は電流値検出回路５１により検出される。なお、転写ローラ２９の体積抵抗値は２×１０8 Ωｃｍ以上であることが好ましいが、これについては後述する。      
【００２６】
転写電圧印加回路３０は、用紙の第１面の印字における転写時に、温度センサ３４で検出された装置内部の温度及び／又は湿度センサ５２で検出された装置内部の湿度に基づいて、転写ローラ２９へ第１面用の転写バイアスを印加する。更に、転写電圧印加回路３０は、用紙の第２面の印字における転写時に、メモリ手段１２ａに記憶された平均流入電流値に基づいて、転写ローラ２９への第２面用の転写バイアスを定電流制御する。
【００２７】
用紙搬送路Ｆの転写ニップ部よりも用紙送り出し側に配置された定着手段は、ヒータランプ３１ａを有する加熱ローラ３１及びプレスローラ３３等で構成される。加熱ローラ３１のヒータランプ３１ａは、ヒータ駆動回路３２により、加熱ローラ３１の外周面が所定の温度となるように加熱する。装置内部の雰囲気温度は、温度センサ３４によって検出される。また、装置内部の湿度は、湿度センサ５２によって検出される。加熱ローラ３１とプレスローラ３３は、転写処理後の用紙を加熱加圧することによりトナー画像を用紙上に定着させる。
【００２８】
一方、感光ドラム２１の周囲に沿ってスコロトロンチャージャ２２と転写ローラ２９との間に自軸回りに回転するブラシ３５を設けており、この回転ブラシ３５には拡散電圧印加回路３５ａにより所定の拡散電圧ＨＶＣＬが印加される。
【００２９】
また、用紙搬送路Ｆに沿って、ピックアップローラ３６、ＰＳＳ（給紙センサ）３７、レジストローラ３８、ＰＤＳ（排紙センサ）３９、排紙ローラ９１を備えている。ピックアップローラ３６は、給紙カセットより用紙を１枚ずつピックアップする。レジストローラ３８は、用紙の先端を整合させて転写ニップ部に送る。ＰＳＳ３７は、給紙カセットよりピックアップされた用紙や反転搬送路（図示せず）から搬送されてきた用紙を検出するためのセンサであり、ＰＤＳ３９は、転写・定着により記録された用紙が搬出される場合に用紙を検出するセンサである。排紙ローラ９１は、記録済み用紙を排紙トレイに排出するためのものである。更に、メインモータ４１の他に、排紙ローラ９１を正回転又は逆回転させるためのサブモータ４２、装置内部に外気を取り入れるための吸気ＦＡＮ４４、及び装置内部を排気するための排気ＦＡＮ４３を備えている。
【００３０】
次に、転写ローラ２９の体積抵抗値は２×１０8 Ωｃｍ以上であること（体積抵抗値を大きくすること）が好ましい点について説明する。図３に感光ドラム２１と転写ローラ２９との転写ニップ部の部分拡大断面図を示す。
【００３１】
図３において、仮に転写ローラ２９の体積抵抗値が小さいと、本来なら矢印Ａのように作用すべき電荷が矢印Ｂのように用紙６０の端部から横流れする問題が生じる。これを防止するためには、転写ローラ２９の体積抵抗値を大きくすればよい。これは、体積抵抗値を大きくすることで、電荷が相対的に用紙６０を通過し易くなるからである。
【００３２】
ここで、転写ニップ部の幅が２ｍｍで、転写ローラ２９の肉厚ｔが４ｍｍの場合には、転写ローラ２９の体積抵抗値を２×１０8 Ωｃｍ以上とするのがよい。
【００３３】
すなわち、・転写ローラ外径  ：φ１６．０
・転写芯金外径    ：φ８．０
・転写ニップ部幅  ：２．０ｍｍ
・転写ローラ幅    ：２２０．９ｍｍ
・転写ローラ抵抗値：３．０×１０7+-0.25 Ω
・・・現状確認レベルでの最低値
・体積抵抗値＝（抵抗値×断面積）／導体長さ
であるから、
１．転写ローラが３．０×１０6.75Ωの場合
体積抵抗値＝｛（３．０×１０6.75）×２２．０９×０．２｝／０．４
＝１．８６×１０8 Ω・ｃｍ
２．転写ローラが１．０×１０7.25Ωの場合
体積抵抗値＝｛（１．０×１０7.25）×２２．０９×０．２｝／０．４
＝１．９６×１０8 Ω・ｃｍ
これより、体積抵抗値としては、常温環境下で２．０×１０8 Ωｃｍ以上とするのが妥当となる。
【００３４】
このファクシミリ装置は、前記したように、転写電圧印加回路３０が、用紙の第１面の印字における転写時には、装置内部の温度及び／又は湿度に基づいて、転写ローラ２９へ第１面用の転写バイアスを印加し、第２面の印字における転写時には、第１面印字における転写時での転写ローラ２９への平均流入電流値に基づいて、転写ローラ２９への第２面用の転写バイアスを定電流制御することが特徴である。
【００３５】
次に、このファクシミリ装置の印字動作、特に待機モード中から２枚の用紙の両面印字を続けて行う場合の動作について、図４のタイムチャートを参照して説明する。なお、図４のタイムチャートは、定着温度、帯電電圧（ＨＶＣ）、現像電圧（ＨＶＢ）、転写電圧（ＨＶＴ）、拡散電圧（ＨＶＣＬ）を示すが、その他の各部の波形は省略してある。
【００３６】
印字動作を開始する前に、印字前処理の電圧制御を開始する。この前処理電圧制御について詳述すると、定着器の温度がモータ駆動開始温度に達した時点で、帯電電圧印加回路２３がスコロトロンチャージャ２２に正の帯電電圧ＨＶＣを印加し、感光ドラム２１の表面が均一に帯電される。
【００３７】
定着器の温度がモータ駆動開始温度に到達してから所定時間を経過したときに、現像電圧ＨＶＢとして、現像処理時に印加する現像電圧と同極性（正極性）で、それよりも低いステップ電圧（一例として約＋１０Ｖ）を印加する。これは、トナーの回収効率を向上させるためである。
【００３８】
やがて、ＬＳＵ２４のポリゴンミラーの回転が安定したときに、現像電圧ＨＶＢを現像処理に必要な正の強電圧（例えば、約＋４００Ｖ）に切り替えるように構成している。この現像電圧ＨＶＢとして正の強電圧が印加されている間に、感光ドラム２１上の静電潜像がトナー像として現像される。
【００３９】
また、定着器の温度がモータ駆動開始温度に達した時点で帯電された感光ドラム２１の領域が転写ニップ部に到達したときに、転写電圧ＨＶＴとして、転写処理時とは逆極性の正の電圧を、転写ローラ２９が回転するのに必要とされる期間印加する。これによって、転写ローラ２９に付着した残存トナーが感光ドラム２１に戻される。
【００４０】
その後、転写電圧ＨＶＴとして、転写処理時と同極性の弱い試験電圧（例えば、約−１ｋＶ）が印加される。この試験電圧を転写ローラ２９に印加している間（符号ａ）に、転写ローラ２９に流入する電流値が電流値検出回路５１により検出され、この検出した電流値と、温度センサ３４により検出された装置内部の温度及び／又は湿度センサ５２により検出された装置内部の湿度とに応じて、転写電圧値を決定する。この決定した転写電圧値は、そのときの当該装置の置かれた環境温度及び湿度条件においてトナー像を用紙に転写するために最適な転写電圧値であって、転写ローラ２９に印加される電圧値である。
【００４１】
なお、モータ駆動開始温度に到達してから所定時間の経過後に、回転ブラシ３５に対して正の拡散電圧ＨＶＣＬを印加して、感光ドラム２１上の残存トナーの付着力を弱め、現像ローラ２６でのトナー回収を容易にしている。
【００４２】
そして、ＰＳＳ３７がＯＮになってから所定時間が経過したとき（給紙カセットからの１枚目の用紙の先端が検出された時点）、用紙の先端が転写ニップ部に到達する。１枚目の用紙の第１面（表面）印字を行うために、転写電圧ＨＶＴとして、感光ドラム２１上のトナー画像を用紙に転写するための負極性の強電圧であって、上記した試験電圧の印加処理において決定した電圧を転写ローラ２９に印加する。この強電圧を転写ローラ２９に印加している間（符号ｂ）に、決定した電圧を維持するように、電流値検出回路５１で転写ローラ２９に流入する電流値を検出しながら電流値を制御する。
【００４３】
前記符号ｂで示される期間に包含される期間ｃにおいて、転写ローラ２９への流入電流値を電流値検出回路５１によりサンプリングし、その平均値を算出して、プリンタコントローラ１２のメモリ手段１２ａに記憶する。
【００４４】
期間ｃの最後は、ＰＳＳ３７がＯＦＦとなる時刻（１枚目の用紙の後端がＰＳＳ３７を通過した時刻）と一致しており、この時刻から所定時間経過して、転写ニップ部に用紙がない状態となるときに、転写電圧ＨＶＴを転写処理時と同極性の弱い試験電圧（例えば、約−１ｋＶ）に戻す。
【００４５】
そして、第１面印字済み用紙が反転搬送路を搬送されてきて、その用紙の第２面（裏面）が感光ドラム２１に対向した状態で、転写ニップ部に用紙が到達したときに、１枚目の用紙の第２面（裏面）印字のために、転写電圧ＨＶＴとして、感光ドラム２１上のトナー画像を用紙に転写するための負極性の強電圧であって、上記した試験電圧の印加処理において決定した電圧を転写ローラ２９に印加する。この強電圧の印加時（符号ｄ）に、上記プリンタコントローラ１２のメモリ手段１２ａに記憶した転写ローラ２９への流入電流の平均値と同じ電流値を維持するように、転写電圧印加回路３０により電圧値を制御する。      
【００４６】
強電圧の印加時に、更に用紙が搬送されて、転写ニップ部から用紙が外れると、転写電圧ＨＶＴを転写処理時と同極性の弱い試験電圧（例えば、約−１ｋＶ）に戻す。
【００４７】
この弱い試験電圧の印加時に、給紙カセットから２枚目の用紙が転写ニップ部まで搬送された時点で、２枚目の用紙の第１面印字のために、転写電圧ＨＶＴを負極性の強電圧に戻す。この強電圧の印加時（符号ｅ）に、１枚目の用紙の第１面印字と同様に、決定した電圧を維持するように、電流値検出回路５１で転写ローラ２９に流入する電流値を検出しながら電流値を制御する。
【００４８】
強電圧の印加時に、更に用紙が搬送され、転写ニップ部から用紙が外れたときに、転写電圧ＨＶＴを転写処理時と同極性の弱い試験電圧（例えば、約−１ｋＶ）に戻す。
【００４９】
そして、前記したように、２枚目の用紙が反転搬送路を搬送されてきて、その用紙の第２面が感光ドラム２１に対向した状態で、転写ニップ部に用紙が到達した時点で、２枚目の用紙の第２面印字のために、転写電圧ＨＶＴを負極性の強電圧に戻す。この強電圧の印加時（符号ｆ）に、１枚目の用紙の第２面印字と同様に、プリンタコントローラ１２のメモリ手段１２ａに記憶した転写ローラ２９への流入電流の平均値と同じ電流値を維持するように、転写電圧印加回路３０により電圧値を制御する。
【００５０】
２枚目の用紙の第２面印字に係る転写処理後は、転写電圧ＨＶＴを各種タイマに基づいて切り替えることにより、転写ローラ２９及び感光ドラム２１のクリーニング処理（後回転処理）が行われる。
【００５１】
次に、このファクシミリ装置の印字動作について、図５のフロー図を参照して概説する。但し、詳細は図４のタイムチャートを参照して説明済みである。まず、ステップＳＴ１において、転写ＦＢ（フィードバック）を行う。これは、図４のタイムチャートについて説明したように、転写電圧ＨＶＴとして、転写処理時と同極性の弱い試験電圧を転写ローラ２９に印加する間（符号ａ）に、転写ローラ２９に流入する電流値を電流値検出回路５１により検出し、この検出した電流値と、温度センサ３４により検出した装置内部の温度及び／又は湿度センサ５２により検出した装置内部の湿度とに応じて、転写電圧値を決定する処理である。
【００５２】
次いで、ステップＳＴ２において、第１面（表面）印字を行う。この第１面印字（ＳＴ２ａ）では、転写ローラ２９への強電圧の印加時（符号ｂ）に、決定した電圧を維持するように、電流値検出回路５１で転写ローラ２９に流入する電流値を検出しながら電流値を制御する（ＳＴ２ｂ）。これと併行して、転写ローラ２９への流入電流値を電流値検出回路５１によりサンプリングし、その平均値を算出して、プリンタコントローラ１２のメモリ手段１２ａに記憶する（ＳＴ２ｃ）。
【００５３】
そして、ステップＳＴ３において、当該用紙については第２面（裏面）印字を行うのか否かを判定し、行わないのなら、当該印字動作を終了する。
【００５４】
ステップＳＴ３の判定がＹＥＳの場合は、ステップＳＴ４において、第２面印字を行う。この第２面印字（ＳＴ４ａ）では、強電圧の印加時（符号ｄ）に、プリンタコントローラ１２のメモリ手段１２ａに記憶した転写ローラ２９への流入電流の平均値と同じ電流値を維持するように、転写電圧印加回路３０により電圧値を制御する（ＳＴ４ｂ）。その後、当該印字動作を終了する。
【図面の簡単な説明】
【００５５】
【図１】実施形態に係る画像形成装置としてのファクシミリ装置（ファクシミリ機能とコピー機能を併有する複合機）の構成例を示すブロック図である。
【図２】同ファクシミリ装置のプリンタ部の構成例を示すブロック図である。
【図３】同ファクシミリ装置における感光ドラムと転写ローラとの転写ニップ部の部分拡大断面図である。
【図４】同ファクシミリ装置の電源ＯＮ後の待機モード中から２枚の用紙の両面印字を連続で行う場合の各部波形を示すタイムチャートである。
【図５】同ファクシミリ装置の印字動作を説明するフロー図である。
【符号の説明】
【００５６】
１２      プリンタコントローラ
１２ａ    メモリ手段（記憶手段）
２１      感光ドラム（像担持体）
２４      ＬＳＵ
２５      供給ローラ
２６      現像ローラ
２９      転写ローラ（転写手段）
３０      転写電圧印加回路（転写バイアス印加手段）
３１      加熱ローラ（定着手段）
３３      プレスローラ（定着手段）
３４      温度センサ
３７      ＰＳＳ
３９      ＰＤＳ
５１      電流値検出回路
５２      湿度センサ
【図１】
2005128108.tif 000003
【図２】
2005128108.tif 000004
【図３】
2005128108.tif 000005
【図４】
2005128108.tif 000006
【図５】
2005128108.tif 000007